(57)【特許請求の範囲】
【請求項１】
凸部を備える屋根上に持出架台、レール材、固定部材を配して新設外装構造を設置した外装構造であって、
前記持出架台は、台面部を上面とする門型空間と、屋根への取付部と、を有し、
前記レール材は、新設外装構造を直接的又は間接的に支持する支持部と、該支持部を挟んで対向する側壁部と、組み付け状態において固定部材の係止部と係合する被係止部と、組み付け状態において固定部材の取付手段を位置規制する規制部と、を有し、
前記固定部材は、基板部と、該基板部の一端に設けた係止部と、基板部の他端に設けた取付手段とを有し、
凸部を備える屋根に取り付けられた前記持出架台の台面部上に前記レール材が載置され、前記門型空間に前記固定部材が挿入されて台面部の下面側に前記固定部材の基板部が配置され、前記レール材の被係止部に前記固定部材の係止部が係止されると共に、取付手段による固定にてレール材と固定部材とで持出架台を挟持状に保持するように一体的に組み付けられ、組み付けられたレール材に新設外装構造が配されていることを特徴とする外装構造。
【請求項２】
レール材の側壁部の対向間隔は、持出架台の台面部が内包されることを特徴とする請求項１に記載の外装構造。
【請求項３】
凸部を備える屋根上に持出架台、レール材、固定部材を配して新設外装構造を設置する外装構造の施工法であって、
前記持出架台は、台面部を上面とする門型空間と、屋根への取付部と、を有し、
前記レール材は、新設外装構造を直接的又は間接的に支持する支持部と、該支持部を挟んで対向する側壁部と、組み付け状態において固定部材の係止部と係合する被係止部と、組み付け状態において固定部材の取付手段を位置規制する規制部と、を有し、
前記固定部材は、基板部と、該基板部の一端に設けた係止部と、基板部の他端に設けた取付手段とを有し、
凸部を備える屋根に持出架台を取り付ける第１の工程と、
取り付けられた前記持出架台の台面部上に前記レール材を載置し、前記門型空間に前記固定部材を挿入して台面部の下面側に基板部を臨ませ、前記係止部を前記被係止部に係止させると共に、取付手段による固定にてレール材と固定部材とで持出架台を挟持状に保持するように一体的に組み付ける第２の工程と、
取り付けられたレール材に新設外装構造を配して構築する第３の工程と、
からなることを特徴とする外装構造の施工法。
【発明の詳細な説明】
【技術分野】
【０００１】
本発明は、凸部を備える新設又は既存屋根に簡易構成の持出架台、レール材、固定部材を用いて、容易にレール材と固定部材とで持出架台を挟持状に保持するように一体的に組み付けることができ、太陽電池パネル、緑化パネル、新設屋根などの新設外装構造を容易に取り付けることができる外装構造及びその施工法に関する。
【背景技術】
【０００２】
既存屋根上に新たに外装構造を構築する場合、既存屋根に取付具や支持材などを配して新たな基礎を構築し、その基礎に新設外装構造を設置する構造が採用され、取付具や支持材は、ボルトによる締着によって既存屋根上に組み付けられている（例えば特許文献１，２など）。
特許文献１には、上向きの締結ボルト５４を備える取付金物（持出金具）５を折板の頂部又は凸部に跨るように取り付け、立設したボルト５４に対して太陽電池モジュール（太陽電池パネル）１等を取り付ける構造が提案されている。
特許文献２には、上向きのボルト８ａを備える取付金具４を、屋根板１の繋ぎ部２，３に取り付け、立設したボルト８ａに対して長孔１０を穿孔した長尺部材９（及び上金具２０）を介して太陽電池１１を取り付ける構造が提案されている。
【先行技術文献】
【特許文献】
【０００３】
【特許文献１】特許第３２９９８７７号公報
【特許文献２】特許第３３５２６４７号公報
【発明の概要】
【発明が解決しようとする課題】
【０００４】
しかしながら、前記特許文献１の構造では、持出金具５の締結ボルト５４に直接的に太陽電池パネル１を取り付けるので、太陽電池パネル１の幅と持出金具５，５間が一致しなければならず、どのような電池にも対応できるものでは無かった。
また、前記特許文献２の構造では、長尺部材９の長孔１０を取付ピッチ（ボルト８ａ間隔）に設ける必要があり、外装材１の態様毎に加工しなければならなかった（その段落［００２２］に「幅に合わせて設けている」と記載されている）。すなわち、例えば取付金具４に代えて持出金具上に長尺部材９に代えてレール材を配する場合、レール材に働き幅に合わせた穿孔を行う必要があり、外装材毎（山部間隔）に部材を用意するか、その都度加工を施さなければならず、前者であれば膨大な種類の在庫を用意しなければならないため管理の手間がかかり不経済であり、後者の場合、都度加工しなければならず手間のかかるものであった。
【０００５】
そこで、本発明は、凸部を備える新設又は既存屋根に簡易構成の持出架台、レール材、固定部材を用いて、容易にレール材と固定部材とで持出架台を挟持状に保持するように一体的に組み付けることができ、部材への穿孔作業も必要とせず、太陽電池パネル、緑化パネル、新設屋根などの新設外装構造を容易に取り付けることができる外装構造を提案することを目的とする。
【課題を解決するための手段】
【０００６】
本発明は、上記に鑑み提案されたものであって、凸部を備える屋根上に持出架台、レール材、固定部材を配して新設外装構造を設置した外装構造であって、前記持出架台は、台面部を上面とする門型空間と、屋根への取付部と、を有し、前記レール材は、新設外装構造を直接的又は間接的に支持する支持部と、該支持部を挟んで対向する側壁部と、組み付け状態において固定部材の係止部と係合する被係止部と、組み付け状態において固定部材の取付手段を位置規制する規制部と、を有し、前記固定部材は、基板部と、該基板部の一端に設けた係止部と、基板部の他端に設けた取付手段とを有し、凸部を備える屋根に取り付けられた前記持出架台の台面部上に前記レール材が載置され、前記門型空間に前記固定部材が挿入されて台面部の下面側に前記固定部材の基板部が配置され、前記レール材の被係止部に前記固定部材の係止部が係止されると共に、取付手段による固定にてレール材と固定部材とで持出架台を挟持状に保持するように一体的に組み付けられ、組み付けられたレール材に新設外装構造が配されていることを特徴とする外装構造に関するものである。
【０００７】
また、本発明は、前記外装構造において、レール材の側壁部の対向間隔は、持出架台の台面部が内包されることを特徴とする外装構造をも提案する。
【０００８】
さらに、本発明は、凸部を備える屋根上に持出架台、レール材、固定部材を配して新設外装構造を設置する外装構造の施工法であって、前記持出架台は、台面部を上面とする門型空間と、屋根への取付部と、を有し、前記レール材は、新設外装構造を直接的又は間接的に支持する支持部と、該支持部を挟んで対向する側壁部と、組み付け状態において固定部材の係止部と係合する被係止部と、組み付け状態において固定部材の取付手段を位置規制する規制部と、を有し、前記固定部材は、基板部と、該基板部の一端に設けた係止部と、基板部の他端に設けた取付手段とを有し、凸部を備える屋根に持出架台を取り付ける第１の工程と、取り付けられた前記持出架台の台面部上に前記レール材を載置し、前記門型空間に前記固定部材を挿入して台面部の下面側に基板部を臨ませ、前記係止部を前記被係止部に係止させると共に、取付手段による固定にてレール材と固定部材とで持出架台を挟持状に保持するように一体的に組み付ける第２の工程と、取り付けられたレール材に新設外装構造を配して構築する第３の工程と、からなることを特徴とする外装構造の施工法をも提案するものである。
【発明の効果】
【０００９】
本発明の外装構造は、簡易構成の持出架台、レール材、固定部材を用いて、容易にレール材と固定部材とで持出架台の台面部を挟持状に保持するように一体的に組み付けることができるため、前記従来構造のように外装材の態様毎に部材を用意したり、その都度加工する必要が無く、容易に取付施工を実施でき、作業が容易である。
そのため、持出架台、レール材、固定部材の各部材を作製する作業も容易であり、例えば各種新設屋根の仕様・形状が変更されても様々な既存屋根に対しても、或いは例えば新設外装構造としての太陽電池パネル又は緑化パネル等の仕様・形状が変更されても、必要に応じて前記各部材を容易に形状や寸法を適応させることができる。
【００１０】
しかも、レール材に、組み付け状態において固定部材の取付手段を位置規制する規制部を設けたので、この規制部にて取付手段としての締め付けボルトやくさび状の固定具を適正位置に取り付けることができる。例えば締め付けボルトの下側に規制部を位置させることにより、レール材の適正位置にボルト先端を配置して位置規制（がたつき防止）することができる。
【００１１】
特にレール材の側壁部の対向間隔が、持出架台の台面部が内包される場合、レール材の配設に際し、容易に適正位置に仮置きすることができる。
【００１２】
さらに、本発明の外装構造の施工法は、第１〜第３の工程を容易に実施でき、特に第２の工程において、固定部材の取り付けによって持出架台とレール材を一体的に組み付けるため、従来技術のように外装材の態様毎に部材を用意したり、その都度加工する必要が無く、既存屋根を劣化させる恐れもなく、製造時に手間がかかることもなく、素材の厚みに制限を受けたり、部材コストを高騰させることもない。
【図面の簡単な説明】
【００１３】
【図１】（ａ）本発明の外装構造の一実施例（第１実施例）の要部を示す正面図、（ｂ）その側断面図、（ｃ）それに用いた既存屋根を構成する外装材の要部を示す正面図である。
【図２】（ａ）第１実施例に用いた持出架台の拡大斜視図、（ｂ）その拡大正面図、（ｃ）その拡大側断面図、（ｄ）レール材の拡大斜視図、（ｅ）その拡大側断面図、（ｆ）固定部材の拡大斜視図、（ｇ）その拡大正面図、（ｈ）その拡大側断面図である。
【図３】（ａ）第１実施例における持出架台にレール材を配設した状態を示す斜視図、（ｂ）さらに固定部材を配して一体化させた状態を示す斜視図、（ｃ）レール材に対する固定部材の取付手順を示し、固定部材の係止部をレール材の被係止部に係合させてそこを支点として下方から回動状に臨ませた状態を示す側断面図、（ｄ）固定部材の取付手段として締め付けボルトを固定した状態を示す側断面図である。
【図４】（ａ）本発明における固定部材の他の態様を示す斜視図、（ｂ）固定部材の他の態様を示す斜視図、（ｃ）レール材の他の態様に固定部材を組み付けた状態を示す側断面図、（ｄ）レール材の他の態様に固定部材を組み付けた状態を示す側断面図、（ｅ）レール材に他の態様の固定部材を組み付けた状態を示す側断面図、（ｆ）別の取付手段を示す拡大側面図、（ｇ）それに用いたくさび状の固定具を示す拡大側面図、（ｈ）それに用いたレール部材の被係止部兼規制部を示す拡大側面図、（ｉ）それに用いた固定部材の延出部を示す拡大側面図、（ｊ）レール材の溝部に収納させる締着具の拡大側断面図である。
【発明を実施するための形態】
【００１４】
本発明の外装構造は、凸部を有する屋根上に持出架台、レール材、固定部材を配して新設外装構造を設置した構成である。
以下に、この取付構造に用いられる（Ａ）屋根、（Ｂ）持出架台、（Ｃ）支持材、（Ｄ）固定部材の各部材について順に説明する。
【００１５】
（Ａ）屋根
本発明が適用される屋根は、持出架台の取付部が取り付けられる凸部を備える構成であり、縦方向（又は横方法）に沿って縦桟（又は横桟）である凸部（突状部）が形成される構成でもよいし、凸部（山状部）と凹部（谷状部）とが連続的に繰り返す構成でもよく、既存、新設を問わず、施工形式についても例えばハゼ式でも嵌合式でもよく、屋根材間にキャップを用いたものであってもよい。
そのため、持出架台の取付部は、縦桟（又は横桟）等の凸部にビスや固定具等にて固定するものでもよいし、後述する図示実施例のように複数の山状部（凸部）が連続的に繰り返して形成される屋根であって、その山状部の頂部に突状の縦凸部が形成される屋根としてもよく、この場合の持出架台の取付部としては、縦凸部の基端を挟持するように取り付けられる構造を採用してもよく、その場合、屋根への穿孔がないため好ましい。
【００１６】
この屋根を構成する外装材は、代表的には概ね０．４〜１．６ｍｍ程度の溶融亜鉛メッキ鋼板やガルバリウム鋼板等の防錆処理鋼板、特殊鋼、非鉄金属、ステンレス鋼板、耐候性鋼板、銅板、アルミニウム合金板、鉛板、亜鉛板、チタニウム板などが挙げられるが、特にこれらに限定されるものではない。これらは殆ど長尺なコイル状形態で供給される。そして、上記各種の長尺なコイル状の金属材料を定尺切断したり、左右の側縁にはロール成形等により成形が施される。
【００１７】
（既存屋根の場合には）前記外装材が敷設された下地、或いは（新設屋根の場合には）前記外装材が敷設する下地としては、木造、鉄骨造、コンクリート造等、釘、ビス、アンカー等の固定金具が取付可能な全ての建築躯体を用いることができ、前記躯体上に断熱その他の必要に応じて敷設する木毛セメント板等のボード類を含む。この下地として型鋼を用いる場合には、主に母屋、梁等に用いられているＬ型鋼，Ｈ型鋼、リップ溝形鋼、チャンネル鋼等の実際に用いられているものであればよい。また、下地は新設されたものでも、既存の外装材を撤去した状態の型鋼であってもよい。
【００１８】
前記下地に前記外装材を取り付けるために、吊子（保持部材）を用いる場合には、型鋼等からなる下地（躯体）への固定部と前記外装材を保持するための被保持部とを併せ持つ保持部材であればよく、特にその具体的な構成を特定するものではなく、この保持部材としては、単一部材でも複数部材からなるものでもよく、下地への取付方法も何等限定するものではない。
【００１９】
（Ｂ）持出架台
本発明に用いられる持出架台は、台面部を上面とする門型空間と、屋根への取付部とを有する構成であり、さらに後述する図示実施例のように屋根上に接地する着座部を有することが望ましい。
【００２０】
前記台面部を有する門型空間は、門型空間が形成される枠構造（筒状枠体）を指し、該筒状枠体の上面部分（上枠部分）を台面部と称するものであり、それ以外の構成は特に限定するものではない。例えば後述する図示実施例のように上面部分を形成する台面部と、側面部分を形成する左右の傾斜側面部と、下面部分を形成する左右の着座部とから構成される台形状の門型空間が形成される略対称状の筒状枠体でもよいし、略円形状でもよく、また略閉塞状でも下面が開放する形状でもよい。さらに、後述する図示実施例のように左右から締め付けるボルトナットからなる締め付け機構を具備するものでもよい。
【００２１】
前記取付部は、屋根の桟等の凸部（突状部）に取り付けられる部位を指し、例えばビスや固定具等にて固定するものでもよく、或いは左右（又は流れ）から挟み込むように取り付ける（挟持する）ものでもよく、特に限定するものではない。
後述する第１実施例では、この取付部は、屋根の山状部（凸部）の頂部に形成される縦凸部を、門型空間が形成される筒状枠体にて左右から包持する構成であるから、この筒状枠体全体（締め付け機構を含む）を広義の取付部としてもよいし、狭義の取付部としては、縦凸部の基端を左右から挟む下面部分（着座部）とこれらを左右から締め付けるボルトナット（締め付け機構）とから構成される。
【００２２】
（Ｃ）レール材
本発明に用いられるレール材は、縦、横に配される桟部材を指し、新設外装構造を直接的又は間接的に支持する支持部と、該支持部を挟んで対向する側壁部と、組み付け状態において固定部材の係止部と係合する被係止部と、組み付け状態において固定部材の取付手段を位置規制する規制部と、を有する通し材であり、特にその素材を限定するものではないが、新設外装構造を支持するために、アルミや硬質樹脂による押出成形品、メッキ鋼板、ステンレス鋼板等のプレス加工品及びセラミック等より形成すればよい。
【００２３】
前記支持部としては、新設外装構造を直接的又は間接的に支持するであるから、略平坦状の支持部分を備える構成でもよいし、或いは長さ方向に沿う１つ以上の溝部を備える構成としてもよい。この溝部は、後述する図示実施例のように上方が開放する構成であって、この溝部内を締着具としての取付ボルトが長さ方向に移動する構成とすることが望ましい。
【００２４】
前記側壁部としては、特にその形状を限定するものではないが、その流れ方向に対向する間隔は持出架台の台面部が内包されることが望ましく、この場合、レール材の配設に際し、容易に適正位置に仮置きすることができる。
【００２５】
前記被係止部は、組み付け状態において固定部材の係止部と係合するものであり、後述する図示実施例ではフランジ（側面から突出状、外向き延出片）としたが、後述する固定部材の係止部が係止可能な形状であれば溝状、突状であってもよく、特にその形状を限定するものではない。
また、各側壁部の下端の被係止部は、両方が被係止部として作用するものではなく、流れ方向のうちの何れか一方の被係止部は、後述する固定部材の係止部と係合し、他方の被係止部は、固定部材の取付手段に組み付けられる。
【００２６】
前記規制部は、前記被係止部と同様にフランジ（側面から突出状）に限定するものではなく、後述する固定部材の取付手段の位置規制が果たされる構成（形状）であれば溝状、突状であってもよく、特にその形状を限定するものではない。また、規制方向も一方に限定するものではなく、複数方向、例えば上下方向に位置規制するものであってもよい。
【００２７】
（Ｄ）固定部材
前記固定部材は、基板部と、該基板部の一端に設けた係止部と、基板部の他端に設けた取付手段とを有する構成であり、特にその素材を限定するものではないが、前記レール材と同一素材にて作製しても良い。
【００２８】
前記基板部は、流れ方向に亘る横片であって、少なくとも前記レール材の流れ方向の幅よりも長く形成されている。この基板部は、後述する図示実施例（第１実施例）のように中央が上方へ隆起する形状でもよいし、図４（ｂ），（ｄ）に示す実施例のように略平坦状に形成してもよく、特にこれらに限定されるものではない。
【００２９】
前記基板部の一端に形成される係止部は、前記レール材の被係止部に係合するものであって、後述する図示実施例では一端を屈曲させて内向き溝状（上皿状）としたが、これは基板部をレール部材の下方から臨ませて被係止部に係合させるためであり、特にこれに限定するものではない。
【００３０】
前記基板部の他端に設ける取付手段としては、例えば締め付けボルトを用いる例とくさび状の固定具を用いる例との２例について以下に説明する。
【００３１】
締め付けボルトを用いる例としては、後述する第１実施例に示すように基板部の他端に上向きに形成した縦片に、内向きに締め付けボルトを保持させた構成でもよい。
前述のように一端の係止部は、前記レール材の被係止部に係合しているので、この締め付けボルトを締め付けてその先端を、レール材の側壁部に当接させることにより、この固定部材は、レール材を流れ方向の水上側及び水下側から挟着状に保持するものとなる。また、前記レール材には固定部材の取付手段（締め付けボルト）を位置規制する規制部が設けられているので、適正位置への安定な取り付け（一体化）が果たされる。例えば締め付けボルトの下側に規制部を位置させることでレール材の適正位置にボルト先端を配置して位置規制（がたつき防止）することができる。ここで、レール材は、固定部材上に載置されているので下に落ちることはないが、ボルト先端が自由になっているとレール材が上方へ動く（負圧）恐れがあり、緩みの要因となる。締め付けボルトが適正位置にて締め付けられていないと、締め付けボルトが下にズレ落ちることで挟持状態に遊びができ、結果がたつきが生じてしまう。
なお、この規制部は、後述する第１実施例では規制部の上側で締め付けボルトの先端を当接させる（＝締め付けボルトの下側に規制部を位置させる）構成（外向き延出片）としたが、規制部として中央が窪む隆状部分を設けて締め付けボルトの先端を受支する構成としてもよい。この場合には、上下左右を含む周囲への位置規制が果たされる。
また、後述する図４（ｃ）の態様のように、基板部の他端に形成した上向きの縦片の下端付近に締め付けボルトを保持した場合には、締め付けボルトの先端は、レール材の被係止部の直上の側壁部に当接するので、別途外向き延出片（規制部）を設けなくても締め付けボルトの位置規制が果たされ、言い換えれば被係止部が規制部を兼ねる態様である。
さらに、後述する図４（ｅ）の態様のように、基端部の他端に内側上向きに形成した傾斜状片に、内向きに締め付けボルトを保持させた構成でもよい。この態様では、締め付けボルトの先端がレール材の被係止部と側壁部とで形成される隅部に当接するので、別途規制部を設けなくても締め付けボルトの位置規制が果たされ、言い換えれば被係止部が規制部を兼ねる態様である。
【００３２】
また、取付手段としては、例えば後述する図４（ｉ）に示すように基板部の他端（延出部）も一端（係止部）と略同様に内向き溝状（上皿状）に成形し、図４（ｈ）に示すレール材の他方の被係止部をこの上皿状部に配置させた状態で図４（ｇ）に示すくさび状の固定具を差し込んで図４（ｆ）に示すように固定しても良い。なお、図４（ｈ）の態様では、下端の外向き延出片を被係止部、その上方に形成される外向き延出片を規制部と見なすこともできるが、これらの二つの延出片にて形成される溝状部分が固定具の端縁を係止し、且つその位置規制を果たすので、言い換えれば溝状の被係止部が規制部を兼ねるものである。
このくさび状の固定具を差し込んで固定することにより、この固定部材とレール材との一体化が果たされるものとなる。また、前記レール材には固定部材の取付手段を位置規制する規制部（被係止部兼規制部）が設けられているので、固定具の上方への位置規制（脱離防止）が果たされ、安定に固定させることができる。
なお、このようなくさび状の固定具を用いる取付手段の場合には、レール部材の被係止部兼規制部として、前記固定具の係止片の厚みより僅かに大きい幅の溝が形成されるようにすればよい。
【００３３】
前記持出架台、前記レール材、前記固定部材を配して外装構造を施工する方法は、屋根に持出架台を取り付ける第１の工程と、取り付けられた前記持出架台の台面部上に、前記レール材を載置し、台面部の下面側に前記固定部材の基板部を臨ませ、その係止部をレール材の被係止部に係止させた状態で取付手段にて固定することにより、レール材と固定部材とで持出架台を挟持状に保持するように組み付ける第２の工程と、取り付けられたレール材に新設外装構造を配して構築する第３の工程と、からなる。
【００３４】
前記第１の工程は、屋根に持出架台を取り付けるものであって、持出架台に設けた取付部を屋根の凸部（山状部）に取り付けて固定する。
【００３５】
前記第２の工程は、取り付けられた前記持出架台の台面部上に、前記レール材を載置し、前記門型空間に前記固定部材を挿入して台面部の下面側に前記固定部材の基板部を臨ませ、その係止部をレール材の被係止部に係止させると共に、取付手段による固定にてレール材と固定部材とで持出架台を挟持状に保持するように一体的に組み付けるので、前記従来構造のように外装材の態様毎に部材を用意したり、その都度加工する必要が無く、容易に取付施工を実施できるので、作業が容易である。
この取付手段の取り付けとしては、後述する図示実施例のように締め付けボルトの締着でも良いし、くさび状の固定具の差し込みでもよいし、その他の取付方法を採用してもよい。
【００３６】
前記第３の工程は、取り付けられたレール材に新設外装構造を配して構築するものであって、公知の手法を採用してどのような新設外装構造をどのように形成してもよい。
【００３７】
本発明にて取り付けられる新設外装構造としては、太陽電池パネル、緑化パネル、新設屋根などが想定されるが、これらに限定するものではなく、屋根に設置する新設外装構造であれば特にその構造を特定するものではない。
【実施例】
【００３８】
本発明の外装構造は、既存屋根（外装材１）上に持出架台２、レール材３、固定部材４を配して新設外装構造（緑化パネル６）を設置した構成であり、図１〜３に示す第１実施例では、複数の凸部（山状部）１Ａが形成される屋根に、台面部２１を上面とする門型空間２０と、屋根への取付部（２３，２３，２Ｂ，２Ｎ）とを有する左右略対称状の持出架台２を固定し、該持出架台２に、レール材３及び固定部材４を取り付けて一体化させ、新設外装構造として緑化パネル６を敷設した構成である。
【００３９】
この第１実施例における既存屋根は、縦葺き屋根であり、略水平状の面板部１１の左右側縁に傾斜状に立ち上がる立ち上げ部分１２，１２を形成し、該立ち上げ部分１２，１２の上端に略水平状の台状部分１３，１３、略垂直状の起立片１４，１４が延設された外装材１からなり、左右に隣接する外装材１，１の立ち上げ部分１２，１２及び台状部分１３，１３にて山状部（凸部）１Ａが形成され、突き合わされた起立片１４，１４の上端を係合せしめて略円筒状の縦凸部１０を形成した構成である。
【００４０】
この第１実施例における持出架台２は、図２（ａ）〜（ｃ）に示すように下面中央を開くことが可能な略閉塞状の略角筒状枠体と、左右部分を締め付けることができる締め付け機構としてボルトナットである締付具２Ｂ，２Ｎとからなる。
前記略角筒状枠体は、上面部分を形成する台面部２１と、側面部分を形成する左右の傾斜側面部２２，２２と、下面部分を形成する左右の着座部２３，２３とから構成され、その中央に断面略矩形状の門型空間２０を有する。そして、前記傾斜側面部２２，２２の略中央には、締付具（ボルト）２Ｂを挿通させる孔が形成され、各着座部２３の内側端部には、上方へ折り曲げられた当接部２３１が設けられている。
なお、この持出架台２が備える屋根への取付部として、「（２３，２３，２Ｂ，２Ｎ）」を付記したが、これは前述の狭義の取付部として、縦凸部１０の基端を左右から挟む下面部分（着座部２３，２３）とこれらを左右から締め付けるボルトナット２Ｂ，２Ｎとから構成されることを意味している。
【００４１】
なお、前記当接部２３１は、屋根の縦凸部１０と当接するので、上方へ緩く屈曲されているが、この当接部２３１，２３１が締付具２Ｂ，２Ｎの締め付けにより、左右から縦凸部１０を締め付ける締め付け部分である。この当接部２３１，２３１は、ある程度は広く弾性に抗して拡開できるように形成され、屋根の縦凸部１０に上方から取り付けることができるものである。
また、連結具２Ｂ，２Ｎは、予め分離しないように一体的に組み付けておくことにより、単一部材としての持出架台２Ａとして取り扱うことが望ましく、前記支持架台２Ａに連結具２Ｂ，２Ｎを緩く連結しておけばよい。
【００４２】
この第１実施例におけるレール材３は、図２（ｄ），（ｅ）に示すように左右対称の略門側フレーム材であって、後述する新設外装構造としての緑化パネルを支持する支持部３１と、流れ方向に対向する側壁部３２，３２と、該側壁部３２，３２の下方に位置して固定部材４の係止部と係合する被係止部３３と、その下方に位置する規制部３４とを有する通し材である。
【００４３】
前記支持部３１は、略平坦（水平面）状であって、その流れ（図では左右及び中央）に上方が開放する溝部３１１，３１１，３１１を備え、該溝部３１１は、その開放上縁が内部より幅狭に形成され、この溝部３１１内を図４（ｇ）に示す締着具３０としての取付ボルトが長さ方向に移動することができる。
より詳しくは、この支持部３１の溝部３１１に、締着具３０として取付ボルトを配設するには、予め溝部３１１の内部幅を締着具（取付ボルト）３０の頭部３０１よりも僅かに大きく形成すると共に溝部３１１の開放上縁の幅を取付ボルト３０の雄ネジ部分３０２よりも僅かに大きく形成すればよく、溝部３１１内を取付ボルト３０が長さ方向にスライド状に移動（調整）することができる。
【００４４】
前記側壁部３２は、前記支持部３１から下方へ垂下する略垂直面状であって、各側壁部３２の下端から外側へ略水平状にフランジ状（外向き延出片状）に被係止部３３が延設され、さらにこの被係止部３３の上方に外側へ突出する突出片状の規制部３４が設けられている。
また、この側壁部３２は、流れ方向に対向するものであって、この側壁部３２，３２の対向間隔は、前記持出架台２の台面部２１の流れ方向の寸法より僅かに大きく形成されている。
【００４５】
前記被係止部３３は、前記対向状の側壁部３２，３２の下端に位置する外向き延出片であるが、側壁部３２，３２の下端の被係止部３３，３３は、両方が被係止作用を果たすものではなく、流れ方向のうちの何れか一方の被係止部３３は、後述する固定部材４の係止部４２と係合し、他方の被係止部３２は、固定部材４の取付手段４３に組み付けられる。
【００４６】
前記規制部３４は、前記被係止部３３の上方に位置する外向き延出片であり、前記被係止部３３より短く形成され、締め付けボルト５Ａの先端が下方へズレ動かないように設けられている。
【００４７】
この第１実施例における固定部材４は、図２（ｆ）〜（ｈ）に示すように中央が上方へ隆起する基板部４１と、該基板部４１の一端に設けた内向き溝状（上皿状）の係止部４２と、基板部４１の他端に設けた取付手段４３とを有する構成である。前記基板部４１の横幅は、図２（ｂ），（ｇ）の比較から明らかなように前記持出架台２の門型空間２０の横幅よりも小さく形成されているため、この固定部材４を門型空間２０に流れ方向から挿入可能に形成されている。
【００４８】
この第１実施例における取付手段４３は、基板部４１の他端に受皿状（窪み状）の延出部４５を介して上向きに形成した縦片４３１に、内向きに締め付けボルト５Ａを保持させた構成であり、この締め付けボルト５Ａを締め付けてその先端を前記レール材３の側壁部３２に当接させることにより、この固定部材４は、前記レール材３を流れ方向の水上側及び水下側から挟着状に保持する。
また、前記レール材３には被係止部３３の上方に規制部３４が設けられているので、締め付けボルト５Ａの先端の下方への位置規制が果たされる、即ち下方へズレ動くことが無い。
【００４９】
これらの持出架台２、レール材３、固定部材４を前記屋根（外装材１）上に取り付ける手順（施工方法）を図３に基づいて以下に説明する。
まず第１の工程として、前記持出架台２を屋根の山状部１Ａの頂部に形成される縦凸部１０に取り付け固定する。
その際、前述のように着座部２３，２３を弾性に抗して左右に拡開し、左右の傾斜側面部２２，２２が屋根の縦凸部１０を包持するように臨ませ、ボルトナットである連結具２Ｂ，２Ｎ（締め付け機構）で左右から締め付けて取り付け固定する。
【００５０】
次に、第２の工程として、図３（ａ）に示すように屋根に取り付けられた前記持出架台２の台面部２１上に、前記レール材３を載置する。この第１実施例では、前述のようにレール材３の側壁部３２，３２の対向間隔が、持出架台２の台面部２１の流れ方向の寸法より僅かに大きく形成されているので、レール材３の配設に際し、単にレール材３を載置するだけでなく上方から嵌め込むように配設することができる。即ち側壁部３２，３２がレール材３の流れ方向のズレ動きを防止する位置規制の作用を果たす。
【００５１】
次に、図３（ｃ）に示すように持出架台２の台面部２１の下面側に前記固定部材４の基板部４１を臨ませ、その係止部４２をレール材３の被係止部３３に係止させ、該係止部４２を支点として基板部４１を回動させるように臨ませる。その際、持出架台２には門型空間２０が形成されているので、固定部材４を図３（ａ）では奥側から門型空間２０に挿入して固定部材４の係止部４２をレール材３の被係止部３３に係止させることができる。
なお、前記図３（ａ）では、固定部材４を奥側から手前側へ向かって配する矢印を付記したが、この第１実施例における固定部材４は、前記図３（ｃ）では右側から左側へ向かって臨ませるものである。
【００５２】
その後、図３（ｃ），（ｄ）に示すように固定部材４の基板部４１の他端（＝図では右端）に設けた延出部４５をレール材３の係止部３３に対して下方から沿わせ、縦片４３１が略垂直状になるように保持した状態で、締め付けボルト５Ａを締め付け、その先端をレール材３の側壁部３２に当接させる。それにより、この固定部材４は、レール材３を流れ方向の水上側及び水下側から挟着状に保持するものとなる。また、前記レール材３には固定部材４の取付手段４３（締め付けボルト５Ａ）を位置規制する規制部３４が設けられているので、レール材３の適正位置に締め付けボルト５Ａの先端が配置されて位置規制（がたつき防止）することができる。
【００５３】
最後に、第３の工程として、取り付けられたレール材３に新設外装構造（緑化パネル６）を配して構築するが、この第１実施例では、レール材３の支持部３１に設けられた三列の溝部３１１，３１１，３１１のうち中央を除く二列の溝部３１１，３１１に図４（ｊ）に示す締着具（取付ボルト）３０を保持して長さ方向にスライド状に移動（調整）して固定することができる。
具体的には、この取付ボルト３０が挿通する取付孔を設けた緑化パネル６を前記レール材３の支持部３１上に載置し、その上面に押さえ面材７を配して締着ナット３０'で締着する。前記取付ボルト３０は、頭部３０１を溝部３１１内に嵌め込み、雄ネジ部分３０２を上方へ延在させた状態で保持するが、この状態で溝部３１１の長さ方向にスライド状に調整可能であって、雄ネジ部分３０２に締着ナット３０'を締め付けることにより、緑化パネル６を挟着状に固定すると共に、この取付ボルト３０自体を溝部３１１の適正位置に固定することができる。
また、前記押さえ面材７は、合計２つの長孔を備え、流れ方向及び左右方向に隣接する４つの緑化パネル６に跨って配設される。
【００５４】
このように本発明の外装構造は、簡易構成の持出架台２、レール材３、固定部材４を用いて容易に一体的に組み付けることができるため、前記従来構造のように外装材の態様毎に部材を用意したり、その都度加工する必要が無く、容易に取付施工を実施でき、作業が容易である。
そのため、持出架台２、レール材３、固定部材５の各部材を作製する作業も容易であり、例えば各種新設屋根の仕様・形状が変更されても様々な既存屋根に対しても、或いは例えば新設外装構造としての太陽電池パネルの仕様・形状が変更されても、必要に応じて前記各部材を容易に形状や寸法を適応させることができる。
さらに、本発明の外装構造の施工法は、第１〜第３の工程を容易に実施でき、特に第２の工程において、固定部材４の取り付けによって持出架台２とレール材３を一体的に組み付けるため、従来技術のように外装材の態様毎に部材を用意したり、その都度加工する必要が無く、屋根を劣化させる恐れもなく、製造時に手間がかかることもなく、素材の厚みに制限を受けたり、部材コストを高騰させることもない。
【００５５】
特にこの第１実施例では、レール材３の側壁部３２，３２の対向間隔が、持出架台２の台面部２１が内包される場合、レール材３の配設に際し、容易に適正位置に仮置きすることができる。
【００５６】
図４（ａ）〜（ｅ）は本発明に用い得る固定部材４Ａ〜４Ｅを示すものであって、図４（ｃ），（ｄ），（ｅ）は本発明に用い得るレール部材３Ａ，３Ｂ，３Ｃとの組み合わせをも示すものである。
固定部材に関し、基板部４１は固定部材４Ａ，４Ｂのように細幅でもよく、また固定部材４Ｂ，４Ｄにおける基板部４ｂ，４ｄのように略平坦状でもよい。さらに、締め付けボルト５Ａを保持する縦片４３１は、固定部材４Ａ〜４Ｃのように上向き鉛直状でもよいし、固定部材４Ｅのように傾斜状片４３３でもよい。
レール材に関し、レール材３Ａ，３Ｃのように被係止部３３が規制部３４を兼ねる構成でもよく、その場合、固定部材４Ｃ，４Ｅのように取付手段である締め付けボルト５Ａが被係止部兼規制部３３，３４に係止されるものであればよい。
また、レール材３Ｂのように支持部３１ｂが二列の溝部３１１を備える構成でもよく、一端（右側）のみに規制部３４を設けるようにしてもよい。
【００５７】
図４（ｇ）に示すくさび状の固定具５Ｂ、及び図４（ｉ）に示す固定部材４Ｆの態様（被係止部４５３を有する延出部４５'）は、本発明に用い得る別の態様の取付手段を示すものである。
前記くさび状の固定具５Ｂは、前後（図では左右）に略水平状に延在する係止部５１，５１を備え、略中央に上方へ突出状の把持部５２を備えるピース材であり、横幅寸法（外側の係止部５１の端縁から内側の係止部５１の端縁までの長さ）ｘＬは、一方端（図では手前側又は奥側）と他方端（図では奥側又は手前側）とで長さが異なるように成形され、両係止部５１，５１からなる底面形状はテーパ状に形成されている。
前記固定部材４Ｆの延出部４５'は、横片４５１から段差４５２を介して端部を折り返して内側が解放する溝状の被係止部４５３を形成して上方が開放する皿状に形成した構成である。
なお、図４（ｈ）に示すレール部材３Ｄでは、被係止部３３である外向き延出片と前記第１実施例では規制部３４と説明した外向き延出片との間に形成される内向き溝状部分を係止部兼規制部３５とし、前記固定具５Ｂの係止片５１の厚みより僅かに大きい幅を有するように形成した。
【００５８】
このくさび状の固定具５Ｂを用いた取付手段は、前記固定部材４Ｆの延出部４５'上に、前記レール材３Ｄのフランジ状の被係止部３３が位置するように載置し、被係止部４５３と側壁部３２間に固定具５Ｂを取り付ける（差し込む）ことでレール材３Ｄと固定部材４Ｆとが組み付けられる。
詳しくは、当該図面には図示しないが前記第１実施例と同様に固定部材４Ｆの基板部４１の一端に設けた係止部４２をレール材３Ｄの被係止部３３に係止させ、該係止部４２を支点として基板部４１を回動させるように臨ませ、基板部４１の他端に設けた延出部４５をレール材３Ｄの係止部３３に対して下方から沿わせる点では前記第１実施例と同様であるが、この取付手段では、固定具５Ｂを延出部４５'の上方に臨ませ、その係止部５１，５１がレール材３Ｄの被係止部兼規制部３５、固定部材４Ｆの被係止部４５３に位置するように差し込んで取り付ける。なお、延出部４５'の皿状底面は内側よりも外側が高く形成されている。
【００５９】
このような取付手段にて施工された外装構造は、固定具５Ｂの取り付け（差し込み）によって持出架台２とレール材３Ｄ、固定部材４Ｆを組み付けるため、素材にビス穴やボルト孔を形成することがないので、前記「切り粉」が発生することも錆の発生もなく、仮に施工誤差が判明した場合には容易に取り外して柔軟に対応することができる。
【符号の説明】
【００６０】
１  外装材
１Ａ  山状部（凸部）
１０  縦凸部
１１  面板部
１１１  溝部
１２  立ち上げ部分
１３  台状部分
１４  起立片
２  持出架台
２Ｂ  ボルト（締め付け機構）
２Ｃ  ナット（締め付け機構）
２０  門型空間
２１  台面部
２２  傾斜側面部
２３  着座部（取付部）
３，３Ａ〜３Ｄ  レール材
３０  締着具
３１  支持部
３１１  溝部
３２  側壁部
３２１  被係合部
３３  被係止部
３４  規制部
３５  被係止部兼規制部
４，４Ａ〜４Ｆ  固定部材
４１  基板部
４２  係止部
４３  取付手段
４３１  縦片
４４  空間
４５  延出部
５Ａ  締め付けボルト
５Ｂ  固定具
５１  係止部
５２  把持部
６  新設外装構造（緑化パネル）
【図１】
0005517075.tif 000002
【図２】
0005517075.tif 000003
【図３】
0005517075.tif 000004
【図４】
0005517075.tif 000005